(57)【要約】      （修正有）【課題】構造をさらにシンプルにし、生産スピードを高め、コストを大幅に下げることを目的とする植え鉢を提供する。【解決手段】植え鉢は、筐体１、及び仕切り板２から構成される。筐体１の底面には突起した満水時の出水口１０及び斜面１１及び前端両側には下向きにそれぞれ突起部分１２、１２’が設置される。左右の内側にはそれぞれ突起縁１４、１４’が設置される。仕切り板２は、排水のための穴２２が設置され、掛けフック部分２０によってネットに引っ掛けられると同時に、突起縁１４、１４’及び底面上の斜面１１に当たること、さらに、筐体１の底面の突起部分１２、１２’がネットにかみ合って相互に押さえる効果を有することにより、筐体１をより安定してネットに固定させる効果を有する。【選択図】図１
0003151391.tif 000002
【実用新案登録請求の範囲】
【請求項１】
筐体及び仕切り板から構成され、
前記筐体は、底面の適当な位置に隆起した満水時の出水口及び斜面と、前端両側に下向きに設けられた突起部分と、前面に設けられた植物を植えるための大きな欠け口と、左右の内側に設けられた突起縁と、左右両側に設けられた水管を置くための凹み槽と、適当な位置に設けられた固定槽と、左右の前端に設けられた掛けフック部分と、を有し、
前記仕切り板は、やや匚型であって、上端に設けられた掛けフック部分と、左右両側に突出した固定片と、前記仕切り板の板面に設けられた複数の排水のための穴と、吸水材料を置くための穴と、を有し、
前記仕切り板の左右の突出した前記固定片を利用して前記筐体の前記固定槽内にはめ込まれて、前記筐体の左右の内側にある前記突起縁及び底面に隆起した前記斜面上に横に置かれ、
前記筐体内は、水分を集めるための集水皿と植物を植えるための植え槽に分かれ、
前記仕切り板の上端の前記掛けフック部分及び筐体の左右前端の前記掛けフック部分を利用して、ネット上に引っ掛けると同時に、下に前記筐体を押さえ、前記筐体は底面下の二つの前記突起部分を利用して、前記ネット上に固定されるため、前記仕切り板は、簡単に前記筐体内に設置され、前記筐体を支えてネットにしっかりと固定して安定させ、前記筐体がしっかりと前記ネットに固定されることで、前記ネットに所定の図案に基づいて配列したり、デザインしたりすることが可能で、さらに、構造がシンプルで、植え鉢の構造から生産が容易で、大幅に生産コスト下げることができ、市場における競争力を高めることができることを特徴とする植え鉢。
【請求項２】
前記満水時の出水口は、前記集水皿内の余分な水を下方の他の植え鉢内に導き、
前記植え槽内に設置された前記吸水材料は、前記集水皿内から前記植え槽内に伸びていて、毛細管現象の原理によって、前記集水皿内の水が自動的に前記植え槽内に伝わっていくことにより、自動的に給水可能であり、細かいネット上に容易に固定することが可能で、点、線、面等にデザインして環境の美化を図ることが可能で、さらに、前記筐体及び前記仕切り板の構造が簡素化されることで、前記仕切り板を容易に前記筐体内に設置することができるだけでなく、前記仕切り板と前記筐体とが相互に押し合うことにより、前記筐体が前記ネット上にしっかりと固定されて、点、線、面にデザインされて環境の美化が図れることを特徴とする請求項１に記載の植え鉢。
【考案の詳細な説明】
【技術分野】
【０００１】
本考案は植え鉢に関し、特に、特許文献１の構造設計に改良を加えて、その構造をさらにシンプルにし、生産スピードを高め、コストを大幅に下げることを目的とする植え鉢に関する。
【背景技術】
【０００２】
特許文献１に記載の植え鉢の構造の特徴は、図４及び図５に示すように、植え鉢本体５、土壌保護棚６及び補助棚７を備える。このうち、植え鉢本体５はやや台形で、その内側に上から下に植え槽５０、集水皿５１、仕切り板５２が設置される。植え槽５０内にはフィルター５３が設置されており、植物を植えるための植え槽５０と水を集めるための集水皿５１とは上下に分離され、植え槽５０内の余分な水分が重力の関係で下に流れて集水皿５１内に集められる。そして、集水皿５１が満水になった時、引流板５２の欠け口５２０から下方にある別の植え鉢本体の植え槽内に導き入れられる。このように、上から下に一連の関係が形成されるため、水やり作業の際には、水管８を利用して上から注水するだけで下方の全ての植え鉢に対して水やり作業が完了する。上述の引流板５２には植え鉢本体５の斜辺面中央の位置から三角形の方式で上方に欠け口５２０が形成され、植え鉢本体５上端の左右両側の板面上にそれぞれ簡単に曲がることで形成される凹み槽５４を有して水管８が設置される。底面には二つの欠け口５５が設置されて、土壌保護棚６が収納される。背面には掛けフック槽５６が設置されて、この掛けフック槽５６によって垂直壁面または傾斜壁面４のネット９上に引っ掛けることで、植え鉢本体5を容易にネット９の上に吊して、壁面の緑化及び美化が可能となる。同時に、植え鉢本体５の正面に着色やペイントを施すことで、垂直壁面や傾斜壁面を美化する効果を有する。さらに、土壌保護棚６は二つのL字型のバー６０が連結したような形状で、その水平の２本のバー６０が植え鉢本体５底面の欠け口５５内に挿入される。図５に示すように、その二つの垂直バーの上端にはそれぞれ掛けフック槽６１が設置されることで、掛けフック槽６１がネット９上に引っ掛けられて、土壌保護棚６が下方の植え鉢内を押さえて鉢内の土壌が大量に流失するのを防止すると同時に、上方の植え鉢をしっかりと支えて引っ掛けることで安定させる。
【０００３】
上述の特許文献１は、本考案者と同一人の考案によるものであり、業界において評価され、好評を得ている。すでに量産段階に入っており、同業にも評価されているが、現状に甘んじることなく、さらなる改良を進めてより優れた製品を世に送り出すべく努力を続けている。そして、上述の植え鉢より優れ、さらに進歩性及び市場競争力を有する植え鉢を提供することを希望するものである。
【先行技術文献】
【特許文献】
【０００４】
【特許文献１】実用新案登録第３１４７７７４号公報
【考案の概要】
【考案が解決しようとする課題】
【０００５】
したがって、本考案は特許文献１に記載の植え鉢の構造設計に改良を加えて、さらに進歩性及び市場競争力を有する植え鉢を提供することを課題とする。
【課題を解決するための手段】
【０００６】
上記課題を解決するために、本考案は特許文献１の植え鉢の構造設計に改良を加えて、さらに進歩性及び市場競争力を有する植え鉢を提供することを目的とする。
上記目的を達成するために、本考案は、筐体、及び仕切り板から構成される。このうち、筐体底面には突起した満水時の出水口及び斜面及び前端両側には下向きにそれぞれ突起部分が設置される。左右の内側にはそれぞれ突起縁が設置される。仕切り板はほぼ匚型で、その上にいくつかの排水のための穴が設置される。その上端にあらかじめ設置された掛けフック部分によって網に引っ掛けられると同時に、下部が筐体の左右両側の上にある突起縁及び底面上の斜面に当たること、さらに、筐体の底面突起部分がネットにかみ合って相互に押さえる効果を有することにより、筐体をより安定してネットに固定させる効果を有する。仕切り板及び筐体を別々に生産することで、その構造がシンプルとなり、生産がしやすく、さらに、仕切り板が簡単に筐体内に設置できることにより、筐体内にそれぞれ集水皿及び植え槽を形成して植え槽と集水皿を分離する目的を達成する。
【考案の効果】
【０００７】
本考案の植え鉢の構造は、仕切り板と筐体が分かれた設計になっており、その構造がシンプルで、生産コストの大幅な削減が可能である。同時に、体積が大幅に縮小されて、容易にネット上に固定でき、点、線、面等にデザインされて環境の美化が図れる。
【図面の簡単な説明】
【０００８】
【図１】本考案の一実施形態による植え鉢の構造を示す分解斜視図ある。
【図２】本考案の一実施形態による植え鉢を組み合わせた後の部分断面図である。
【図３】本考案の一実施形態による植え鉢を網に設置した状態における断面図である。
【図４】従来の植え鉢の構造を示す一部切り欠き分解斜視図である。
【図５】従来の植え鉢の植え鉢本体と土壌保護棚とを組み合わせた状態を示す断面図である。
【考案を実施するための形態】
【０００９】
以下、本考案の実施の形態を図面に基づいて説明する。
（一実施形態）
図１から図３は、本考案の分解斜視図、組み立て後の部分断面図、及びネット９に設置した状態における側面の断面図である。図１から図３に示すように、本考案の一実施形態の植え鉢は、筐体１、及び仕切り板２から構成される。このうち、筐体１の底面には突起した満水時の出水口１０、斜面１１が設けられる。また、前端両側には下向きにそれぞれ突起部分１２、１２’が設置される。前面には、植物を植えるための大きな欠け口１３が設置される。左右の内側にはそれぞれ突起縁１４、１４’が設置される。左右両側には、水管を置くための凹み槽が設置されるほか、適当な位置にそれぞれ固定槽１５、１５’、そして、左右の前端にはそれぞれ掛けフック部分１６、１６’が設置される。仕切り板２は、やや匚型で、その上にいくつかの排水のための穴２０が設置される。左右両側にはそれぞれ突出した固定片２１、２１’が設けられる。また、仕切り板２の板面には、いくつかの排水のための水出し穴２２、及び吸水材料３を設置するための穴２３が設置される。全体の構成は、左右の突出した固定片２１、２１’を利用して固定槽１５、１５’内にはめ込まれて、筐体１左右の内側にある突起縁１４、１４’及び底面に隆起した斜面１１上に横に置かれる。筐体１内は、水分を集めるための集水皿１ａと植物を植えるための植え槽１ｂとに分かれる。さらに、仕切り板２の上端の掛けフック部分２０及び筐体１の左右前端の掛けフック部分１６、１６’を利用して、ネット９上に引っ掛けると同時に、下に筐体１を押さえる。筐体１は、底面下の二つの突起部分１２、１２’を利用して、ネット９上に固定されるため、仕切り板２は、簡単に筐体１内に設置されるほか、筐体１を支えてネット９にしっかりと固定して安定させる。筐体１がしっかりとネット９に固定されることで、ネット９に所定の図案に基づいて配列したり、デザインしたりすることが可能である。さらに、構造がシンプルで、植え鉢の構造から生産が容易で、大幅に生産コスト下げることができ、市場における競争力を高めることができる。
【００１０】
上述の満水時の出水口１０は、集水皿１ａ内の余分な水を下方の植え鉢内に導く。植え槽１ｂ内に設置された吸水材料３は、集水皿１ａ内から植え槽１ｂ内に伸びている。図３に示すように、毛細管現象の原理によって、集水皿１ａ内の水は、自動的に植え槽１ｂ内に伝わっていく。したがって、本考案の一実施形態では、すでに自動的に給水するという目的を達しており、細かいネット上に容易に固定することが可能で、点、線、面等にデザインして環境の美化を図ることが可能である。さらに、筐体１及び仕切り板２等の構造が簡素化されることで、仕切り板２が容易に筐体１内に設置することができるだけでなく、さらに、仕切り板２と筐体１が相互に押し合うことにより、筐体１がネット９上にしっかりと固定されて、点、線、面等にデザインされて環境の美化が図れる。
【００１１】
このように、本考案の植え鉢の構造は、仕切り板と筐体が分かれた設計になっており、その構造がシンプルで、生産コストの大幅な削減が可能である。同時に、体積が大幅に縮小されて、容易にネット上に固定でき、点、線、面等にデザインされて環境の美化が図れる。
【符号の説明】
【００１２】
１：筐体、２：仕切り板、３：吸水材料、１０：満水時の出水口、１１：斜面、１２、１２’：突起部分、１３：大きな欠け口、１４、１４’：突起縁、１５、１５’：固定槽、１６、１６’、２０：掛けフック部分、２１、２１’：固定片、２２：排水のための穴、２３：穴、９：ネット
【図１】
0003151391.tif 000003
【図２】
0003151391.tif 000004
【図３】
0003151391.tif 000005
【図４】
0003151391.tif 000006
【図５】
0003151391.tif 000007